(57)【要約】【課題】床面への荷重の分散を行うとともに、動力ケーブルや制御ケーブルの接続作業を容易とする。【解決手段】ＯＡ機器を収納した箱体を載置、固定する上部フランジ部２ａと、上部フランジ部２ａの中間部に一方端が連接された中間支持部２ｂと、中間支持部２ｂの他方端が中間部に連接されるとともに、床面に接する下部フランジ部２ｃとで構成される箱体設置架台であって、中間支持部２ｂおよび上部フランジ部２ａに、動力ケーブル、制御ケーブルが貫通する開口部１０、１１を設けたことを特徴とする。この箱体設置架台は、ビルの梁間に設け、荷重の分散を行う。【選択図】  図２
2015002631.tif 000002
【特許請求の範囲】
【請求項１】
ＯＡ機器を収納した箱体を載置、固定する上部フランジ部と、
前記上部フランジ部の中間部に一方端が連接された中間支持部と、
前記中間支持部の他方端が中間部に連接されるとともに、床面に接する下部フランジ部とで構成される箱体設置架台であって、
前記中間支持部および前記上部フランジ部に、動力ケーブル、制御ケーブルが貫通する開口部を設けたことを特徴とする箱体設置架台。
【請求項２】
前記開口部の内周端部に保護カバーを設けたことを特徴とする請求項１に記載の箱体設置架台。
【請求項３】
前記上部フランジ部と前記下部フランジ部間を保護板で覆ったことを特徴とする請求項１または請求項２に記載の箱体設置架台。
【請求項４】
箱体設置架台は、Ｈ形鋼であることを特徴とする請求項１乃至請求項３のいずれか１項に記載の箱体設置架台。
【請求項５】
箱体設置架台は、ビルの２階以上に設けられる電算器室で用いることを特徴とする請求項１乃至請求項４のいずれか１項に記載の箱体設置架台。
【発明の詳細な説明】
【技術分野】
【０００１】
本発明の実施形態は、ＯＡ機器などを収納した箱体をビルの床面に固定する箱体設置架台に関する。
【背景技術】
【０００２】
近年、ＯＡ機器、電源機器などをビルの高層階に設置するケースが増加している。その際、電算器室（サーバールーム）では、多くの機器を設置するため、これらの荷重に耐えられないことがある。
【０００３】
そこで、図５に示すように、コンクリートの床面１の梁間にＨ形鋼２を布設し、このＨ形鋼２にＯＡ機器、電源機器などを収納する箱体３ａ、３ｂ、３ｃを載置、固定している。これにより、床面１への荷重の分散が行われている。天井面４には、動力ケーブル５、制御ケーブル６、空調ダクト７が設けられ、箱体３ａ、３ｂ、３ｃの上部から動力ケーブル５や制御ケーブル６が引き込まれている。箱体３ｂ、３ｃ間は、箱体３ａ、３ｂ間よりも広くなっており、点検通路８となっている（例えば、特許文献１参照。）。
【０００４】
このような電算器室では、高層階であっても重量物の機器を多数設置することができるものの、箱体３ａ、３ｂ、３ｃの上部と動力ケーブル５や制御ケーブル６間が数１０ｃｍとなり、狭い空間での引き込み作業で接続作業を困難としていた。なお、高さ３ｍの天井面４であっても、高さ２ｍ程度の箱体３ａ、３ｂ、３ｃを設置することがあり、高さ数１０ｃｍの動力ケーブル５や制御ケーブル６を収納した箱下では作業スペースが殆どなくなる。このため、Ｈ形鋼２のような補強部材を用いてかさ上げをしても、床面１から天井面４までの空間を有効活用でき、動力ケーブル５、制御ケーブル６などの接続作業を容易とすることのできるものが望まれていた。
【先行技術文献】
【特許文献】
【０００５】
【特許文献１】特開２０１２−２４９４７４号公報
【発明の概要】
【発明が解決しようとする課題】
【０００６】
本発明が解決しようとする課題は、床面１への荷重の分散を行うために補強部材を用いても、動力ケーブル５や制御ケーブル６の接続作業を容易とすることのできる箱体設置架台を提供することにある。
【課題を解決するための手段】
【０００７】
上記課題を解決するために、実施形態の箱体設置架台は、ＯＡ機器を収納した箱体を載置、固定する上部フランジ部と、前記上部フランジ部の中間部に一方端が連接された中間支持部と、前記中間支持部の他方端が中間部に連接されるとともに、床面に接する下部フランジ部とで構成される箱体設置架台であって、前記中間支持部および前記上部フランジ部に、動力ケーブル、制御ケーブルが貫通する開口部を設けたことを特徴とする。
【図面の簡単な説明】
【０００８】
【図１】本発明の実施例１に係る電算器室の機器配置例を示す断面図。
【図２】本発明の実施例１に係る箱体設置架台の構成を示す斜視図。
【図３】本発明の実施例２に係る箱体設置架台の構成を示す斜視図。
【図４】本発明の実施例３に係る箱体設置架台の構成を示す斜視図。
【図５】従来の電算器室の機器配置例を示す断面図。
【発明を実施するための形態】
【０００９】
以下、図面を参照して本発明の実施例を説明する。
【実施例１】
【００１０】
先ず、本発明の実施例１に係る箱体設置架台を図１、図２を参照して説明する。図１は、本発明の実施例１に係る電算器室の機器配置例を示す断面図、図２は、本発明の実施例１に係る箱体設置架台の構成を示す斜視図である。なお、従来と同様の構成部分は、同一符号を付した。
【００１１】
図１に示すように、コンクリートの床面１の梁間には、補強部材となるＨ形鋼２を布設し、このＨ形鋼２にＯＡ機器、電源機器などを収納する箱体３ａ、３ｂ、３ｃを載置、固定している。床面１と箱体３ａ、３ｂ、３ｃ底面の間には、動力ケーブル５、制御ケーブル６を布設しており、後述するＨ形鋼２の開口部１０、１１を貫通し、箱体３ａ、３ｂ、３ｃの底部から引き込むようにしている。天井面４には、空調ダクト７が設けられている。箱体３ｂ、３ｃ間の床面１側には、点検通路８が設けられている。なお、動力ケーブル５、制御ケーブル６の接続は、箱体３ｂについて示している。
【００１２】
次に、Ｈ形鋼２を図２を参照して説明する。
【００１３】
図２に示すように、Ｈ形鋼２は、箱体３ａ、３ｂ、３ｃを載置、固定する上部フランジ２ａ（上部フランジ部）と、上部フランジ２ａの中間部に一方端が連接されたウェブ２ｂ（中間支持部）と、ウェブ２ｂの他方端が中間部に連接されるとともに、床面１に接し、且つ、上部フランジ２ａと同形状で平行配置された下部フランジ２ｃ（下部フランジ部）とで構成されている。
【００１４】
ウェブ２ｂには、複数の四角状の開口部１０が設けられている。上部フランジ２ａには、複数のコ字状の開口部１１が設けられている。そして、これらの開口部１０、１１に動力ケーブル５や制御ケーブル６を貫通させるものである。なお、開口部１０、１１による機械的強度の低下は問題ない程度とする。箱体３ａ、３ｂ、３ｃには、チャンネルベースが取付けられていてもよく、この場合、チャンネルベースが上部フランジ２ａに固定される。
【００１５】
これにより、動力ケーブル５や制御ケーブル６を床面１側に布設することができ、天井面４までの空間を有効利用することができる。また、接続作業が床面１側となり、高所作業を回避することができる。なお、Ｈ形鋼２により、床面１への荷重の分散を行うことは従来と同様であり、ビルの２階以上（下層階に部屋を有する）の上層階で大きな効果がある。また、開口部１０が四角状であるので、丸形と比べて動力ケーブル５貫通時の誘導電流が抑制される。
【００１６】
ここで、Ｈ形鋼２は、Ｉ形鋼（ＪＩＳ表記）などでもよく、動力ケーブル５、制御ケーブル６を布設できる所定の高さ（ウェブ２ｂに相当）を有するものとする。
【００１７】
上記実施例１の箱体設置架台によれば、ＯＡ機器、電源機器などを収納する箱体３ａ、３ｂ、３ｃをＨ形鋼２に載置、固定し、この部分に動力ケーブル５や制御ケーブル６を貫通させているので、床面１への荷重が分散でき、天井面４までの空間を有効に利用することができる。また、動力ケーブル５や制御ケーブル６の接続作業を容易とすることができる。
【実施例２】
【００１８】
次に、本発明の実施例２に係る箱体設置架台を図３を参照して説明する。図３は、本発明の実施例２に係る箱体設置架台の構成を示す斜視図である。なお、この実施例２が実施例１と異なる点は、開口部に保護カバーを設けたことである。図３において、実施例１と同様の構成部分においては、同一符号を付し、その詳細な説明を省略する。
【００１９】
図３に示すように、開口部１０、１１には、内周端部にそれぞれの形状に合わせて、ゴムのような可撓性材料からなる断面コ字状の保護カバー１２、１３を内周端部を覆うように設けている。
【００２０】
上記実施例２の箱体設置架台によれば、実施例１による効果のほかに、開口部１０、１１を貫通する動力ケーブル５、制御ケーブル６を保護することができる。
【実施例３】
【００２１】
次に、本発明の実施例３に係る箱体設置架台を図４を参照して説明する。図４は、本発明の実施例３に係る箱体設置架台の構成を示す斜視図である。なお、この実施例２が実施例１と異なる点は、Ｈ形鋼に保護板を設けたことである。図４において、実施例２と同様の構成部分においては、同一符号を付し、その詳細な説明を省略する。
【００２２】
図４に示すように、Ｈ形鋼２の上部フランジ２ａと下部フランジ２ｃ間を、絶縁板からなる保護板１４で覆っている。これにより、開口部１０、１１への異物侵入防止や防塵をすることができる。保護板１４に磁石を貼り付けてＨ形鋼２に固定するようにすれば、着脱作業が容易となる。
【００２３】
上記実施例３の箱体設置架台によれば、実施例２による効果のほかに、異物侵入防止などをすることができる。
【００２４】
以上述べたような実施形態によれば、動力ケーブルや制御ケーブルを床面に布設し、箱体の下部からの取り合いができるようにしているので、電算器室の空間を有効に利用することができ、ケーブルの接続作業を容易とすることができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１  床面
２  Ｈ形鋼
２ａ  上部フランジ（上部フランジ部）
２ｂ  ウェブ（中間支持部）
２ｃ  下部フランジ（下部フランジ部）
３ａ、３ｂ、３ｃ  箱体
４  天井面
５  動力ケーブル
６  制御ケーブル
１０、１１  開口部
１２、１３  保護カバー
１４  保護板
【図１】
2015002631.tif 000003
【図２】
2015002631.tif 000004
【図３】
2015002631.tif 000005
【図４】
2015002631.tif 000006
【図５】
2015002631.tif 000007